(57)【要約】      （修正有）【課題】巻き尺的なスケール機能と分度機能とコンパス機能とを備えていると共に不使用時の取り扱いに頗る便利な多機能文具を提供すること。【解決手段】中空の円錐体の周面に３６０度の分度目盛を表示すると共に上端部および底面の中心部に軸孔７が形成され、前記周面の一部に縦スリット８が形成された分度体１と、先端に刺針部２ａを有していて前記分度体の軸孔に貫挿するようにした軸針２と、巻取可能な可撓材料からなる帯状体の端部に前記軸針の先端部を挿通する支点孔を有すると共に長手方向の側縁部には前記支点孔の中心を基点として長さ目盛が表示され、該長さ目盛に対応する位置に筆記用芯を挿通するための挿通孔を形成した定規体３とからなり、定規体３を縦スリット８から挿入して軸針２で巻き取ることにより分度体の内部に収納し得るように構成した。【選択図】図３
0003112724.tif 000002
【実用新案登録請求の範囲】
【請求項１】
中空の円錐体の周面に３６０度の分度目盛を表示すると共に上端部および底面の中心部に軸孔が形成され、前記周面の一部に縦スリットが形成された分度体と、先端に刺針部を有していて前記分度体の軸孔に貫挿するようにした軸針と、巻取可能な可撓材料からなる帯状体の端部に前記軸針の先端部を挿通する支点孔を有すると共に長手方向の側縁部には前記支点孔の中心を基点として長さ目盛が表示され、該長さ目盛に対応する位置に筆記用芯を挿通するための挿通孔を形成した定規体とからなり、定規体を縦スリットから挿入して軸針で巻き取ることにより分度体の内部に収納し得るように構成したことを特徴とする多機能文具。
【請求項２】
単位センチ以下の目盛に対応するように定規体に穿孔される挿通孔はジグザグ状態に形成されていることを特徴とする請求項１に記載の多機能文具。
【考案の詳細な説明】
【技術分野】
【０００１】
本考案は、分度機能と定規機能とコンパス機能とを備え、定規体は分度体の内部に巻き取り収納することができるようにした多機能文具に関する。
【背景技術】
【０００２】
従来より、一つの文具に他の機能を備えさせたものが多数提案されており、例えば、スチール製等の巻き尺の先端部に筆記具を取り付けるようにして、引き出されたメジャーの長さを半径とする円を描くようにした巻き尺式コンパス（特許文献１）や、第１の定規と第２の定規をその一端部で枢支すると共に該枢支部に分度器を枢支した多機能定規（特許文献２）、定規本体の一端部に基点ピンを挿入する基点孔を設けると共に該定規本体には目盛に対応させて筆記具挿入孔を設けたコンパス式円定規（特許文献３）等がある。
【特許文献１】特開平１−２６７１００号公報
【特許文献２】特開平９−２０７４９６号公報
【特許文献３】実開昭６３−１３２７９２号公報
【考案の開示】
【考案が解決しようとする課題】
【０００３】
解決しようとする問題点は、例えば、特許文献１で提案されているものにおいては、分度機能を有しないし、巻き尺ケースが機能的に有効に利用されていない。また、特許文献２に記載のものにおいては、通常の定規機能と角形定規機能および分度機能並びにコンパス機能を有していて多機能を備えている点で有利であるが、定規の長さに限界があり、しかも不使用時の収納その他の取り扱いに不便である、という難点がある。さらに、特許文献３で提案されているものにおいては、特許文献１のものと同様、分度機能を有しない、という不便さがある。
【０００４】
本考案は、巻き尺的なスケール機能と分度機能とコンパス機能とを備えていると共に不使用時の取り扱いに頗る便利な多機能文具を提供することを目的とする。
【課題を解決するための手段】
【０００５】
本考案の多機能文具は、中空の円錐体の周面に３６０度の分度目盛を表示すると共に上端部および底面の中心部に軸孔が形成され、前記周面の一部に縦スリットが形成された分度体と、先端に刺針部を有していて前記分度体の軸孔に貫挿するようにした軸針と、巻取可能な可撓材料からなる帯状体の端部に前記軸針の先端部を挿通する支点孔を有すると共に長手方向の側縁部には前記支点孔の中心を基点として長さ目盛が表示され、該長さ目盛に対応する位置に筆記用芯を挿通するための挿通孔を形成した定規体とからなり、定規体を縦スリットから挿入して軸針で巻き取ることにより分度体の内部に収納し得るように構成したことを特徴とする。
【０００６】
この場合、単位センチ以下の目盛に対応するように定規体に穿孔される挿通孔をジグザグ状態に形成することができる。
【考案の効果】
【０００７】
本考案の多機能文具は、中空の円錐体の周面に３６０度の分度目盛を表示すると共に上端部および底面の中心部に軸孔が形成され、前記周面の一部に縦スリットが形成された分度体と、先端に刺針部を有していて前記分度体の軸孔に貫挿するようにした軸針と、巻取可能な可撓材料からなる帯状体の端部に前記軸針の先端部を挿通する支点孔を有すると共に長手方向の側縁部には前記支点孔の中心を基点として長さ目盛が表示され、該長さ目盛に対応する位置に筆記用芯を挿通するための挿通孔を形成した定規体とからなっており、機能的には、分度体の軸孔に軸針を挿通して基点を設定することにより分度体が分度器として機能し、定規体は独立した定規として機能すると共に支点孔に軸針を挿通して基点とした状態で挿通孔に筆記用芯を挿通することによりコンパスとして機能する。定規体はこれを縦スリットから挿入して軸針で巻き取ることにより分度体の内部に収納することができる。
【考案を実施するための最良の形態】
【０００８】
本考案の多機能文具の実施例を図１〜図４に基づいて説明する。図１は本考案の多機能文具を示す側面図、図２は同上平面図、図３は概略断面図、図４は軸針の側面図である。この多機能分具１０は、中空の円錐体の周面に３６０度の分度目盛４を表示すると共に上端部５および底面６の中心部に軸孔７が形成され、前記周面の一部に縦スリット８が形成された分度体１と、先端に刺針部２ａを有していて前記分度体１の軸孔７に貫挿するようにした軸針２と、巻取可能な可撓材料からなる帯状体の端部に前記軸針２の先端部を挿通する支点孔１１を有すると共に長手方向の側縁部には前記支点孔１１の中心を基点として長さ目盛１２が表示され、該長さ目盛１２に対応する位置に筆記用芯を挿通するための挿通孔１３を形成した定規体３とからなり、定規体３を前記分度体１の縦スリット８から挿入して軸針２で巻き取ることにより分度体１の内部に収納し得るように構成したものである。
【０００９】
前記分度体１は透明アクリル系樹脂によって形成され、円錐筒１ａの底部に底面板１ｂを取り付けて中空体に形成されている。前記軸針２は、図４に示すように、先端に刺針部２ａを形成すると共に該刺針部２ａの上部に支持円板部２ｂを設けて断面略「Ｔ」字状をなしており、該支持円板２ｂの上部には前記定規体３を立てた状態において支点孔１１に係入する突起２ｃが設けられている。
【００１０】
前記定規体３は透明プラスチック系のある程度柔軟な材質により形成され、前記軸針２により巻取可能なものとする。この定規体３の長手方向の側縁部には前記長さ目盛１２が設けられるが、その目盛１２の基点は前記支点孔１１の中心である。実施例では前記目盛１２は１センチ目盛と５ミリ目盛と１ミリ目盛であり、定規体３の中心付近には前記１センチ目盛に対応する位置に前記筆記用芯の挿通孔１３が設けられている。また、５ミリ目盛や１ミリ目盛に対応する挿通孔１３ａは隣接する挿通孔と干渉しないようにするために全体がジグザグになるように形成することが望ましい。
【００１１】
次ぎに、使用例を説明すると、分度体１の軸孔７に軸針２を挿通してその先端の刺針部２ａで基点を設定することにより分度体１を分度器として用いることができ、また、分度体１を使用しないで軸針２を定規体３の支点孔１１に挿通して基点とすると共に定規体３の挿通孔１３に筆記用芯（図示しない）を挿通して円を描くことによりコンパスとして使用することができる。定規体３はそのままスケールとして、或いは直線定規として使用できることは勿論である。
【００１２】
定規体３の不使用時には、これを縦にして分度体１の縦スリット８から挿入し、支点孔１１に軸針２の係入突起２ｃを係合させた状態で支持円板２ｂを回転させる等の手段により軸針２を回転させると図３に示すように定規体３は軸針２に巻き取られ、定規体３を分度体１の内部に収納することができる。
【産業上の利用可能性】
【００１３】
本考案の多機能文具は、文房具として使用することができるのは勿論、教材として、或いは大工道具の一種として使用することができる。
【図面の簡単な説明】
【００１４】
【図１】本考案の多機能文具を示す側面図である。
【図２】多機能文具の平面図である。
【図３】多機能文具の概略断面図である。
【図４】軸針の側面図である。
【符号の説明】
【００１５】
１    分度体
２    軸針
２ａ  刺針部
３    定規体
４    分度目盛
７    軸孔
８    縦スリット
１０  多機能文具
１１  支点孔
１２  長さ目盛
１３  筆記用芯の挿通孔
【図１】
0003112724.tif 000003
【図２】
0003112724.tif 000004
【図３】
0003112724.tif 000005
【図４】
0003112724.tif 000006